(57)【特許請求の範囲】
【請求項１】
バッファ用ＲＡＭに一旦記憶されたデータ信号を読み出すことによってディスクに該信号を記録するように構成されているとともに記録動作中断後においてディスクから読み出された信号と前記バッファ用ＲＡＭに記憶されていたデータ信号とを比較し両者が同一信号であると判定された場合に記録動作を再開させて記録中断前にディスクに記録されている信号に連続して信号を記録するように構成された光ディスク記録再生装置において、記録動作中に電源が遮断されたとき、前記バッファ用ＲＡＭに記憶されていたデータ信号及び記録動作が行われていた位置を示す位置情報データを不揮発性メモリーに記憶させ、かつ、電源復旧後前記不揮発性メモリーに記憶されているデータ信号を前記バッファ用ＲＡＭに書き込み、前記不揮発性メモリーに記憶されている位置情報データに基づいてディスクへの記録動作を再開させるようにしたことを特徴とする光ディスク記録再生装置。
【発明の詳細な説明】
【０００１】
【発明の属する技術分野】
本発明は、光学式ピックアップより照射されるレーザーによってディスクに信号を記録するとともにレーザーによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザーによってディスクに信号を記録することが出来るように構成された光ディスク記録再生装置が商品化されている。
【０００３】
また、規定の線速度に対して、２倍、４倍、６倍、８倍、１０倍及び１２倍等の高速の線速度一定にてディスクを回転制御した状態で信号を記録することが出来るように構成された光ディスク記録再生装置が開発されている。
【０００４】
【発明が解決しようとする課題】
光ディスク記録再生装置では、ホストであるコンピューター装置側からの記録命令に従って信号の記録動作を行うように構成されているが、斯かる記録動作はディスクに記録する信号を一旦バッファ用ＲＡＭに記憶させ、該バッファ用ＲＡＭに記憶されている信号を読み出すことによってディスクへ信号の記録動作を行うように構成されている。
【０００５】
ディスクへの信号の記録動作が正常に行われている状態では、コンピューター装置より出力されるデータ信号のバッファ用ＲＡＭへの書き込み動作及び該バッファ用ＲＡＭからの信号の読み出し動作、そして読み出された信号のディスクへの記録動作がデータ信号の量やディスクへの記録状況に対応して行われるように構成されている。
【０００６】
また、ディスクへの信号の記録動作を規定の速度より高速度にて行う場合には、バッファ用ＲＡＭから読み出される信号の量に対して書き込まれる信号の量が不足することがあり、ディスクへの記録動作を行うことが出来ない状況、即ちバッファアンダーランと呼ばれる状況になる。斯かる状態になると、ディスクへの信号の記録動作が行えないだけでなく、ディスク自体が使用不可になるという問題がある。
【０００７】
斯かる問題を解決する技術として、バッファ用ＲＡＭに記憶されているデータ信号の量が不足する状況になったとき、ディスクへの信号の記録動作を中断させるとともに前記バッファ用ＲＡＭに記憶される信号の量が所定量に達したときディスクへの信号の記録動作を再開させるようにしたものがある。斯かる技術によれば、バッファ用ＲＡＭに記憶されるデータ信号の量が不足した場合の問題を解決することは出来るが、記録動作を行っているとき、停電等によって電源が遮断された場合には、ディスクへの信号の記録動作が行えないだけでなく、ディスク自体が使用不可になるという問題が発生することになる。
【０００８】
本発明は、斯かる問題を解決することが出来る光ディスク記録再生装置を提供しようとするものである。
【０００９】
【課題を解決するための手段】
本発明は、バッファ用ＲＡＭに一旦記憶されたデータ信号を読み出すことによってディスクに該信号を記録するように構成されているとともに記録動作中断後の記録再開動作を記録中断前にディスクに記録されている信号に連続して信号を記録するように構成された光ディスク記録再生装置において、記録動作中に電源が遮断されたとき、前記バッファ用ＲＡＭに記憶されていた信号及び記録動作が行われていた位置を示す位置情報データを不揮発性メモリーに記憶させるように構成されている。
【００１０】
【実施例】
図１は本発明に係る光ディスク記録再生装置の一実施例を示すブロック回路図である。同図において、１はスピンドルモーター（図示せず）によって回転駆動されるターンテーブル（図示せず）に載置されるディスクであり、該ターンテーブルの回転により回転駆動されるように構成されている。また。前記ディスク１には、位置情報データがウォブルと呼ばれる溝によって記録されており、この溝より得られるウォブル信号に基づいて信号の記録再生動作が行われるように構成されている。２はディスク１に光ビームを照射させるレーザーダイオード及び該レーザーダイオードより照射される光をモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１１】
３は前記光学式ピックアップ２に組み込まれている光検出器から得られるＲＦ信号を増幅するとともに波形成形するＲＦ信号増幅回路、４は前記ＲＦ信号増幅回路３を介して得られる信号に基づいて前記光学式ピックアップ２の光ビームをディスク１の信号面に合焦させるフォーカシング制御及び該光ビームを前記信号面の信号トラックに追従させるトラッキング制御を行うピックアップ制御回路であり、フォーカスサーボ回路及びトラッキングサーボ回路が組み込まれている。
【００１２】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホストとして設けられているコンピューター装置７に出力する作用を成すものである。
【００１３】
８は前記デジタル信号処理回路５により復調された信号が入力されるとともに前記コンピューター装置７から出力される命令信号に応じて種々な制御動作を行うシステム制御回路、９はテスト信号やデータ信号等の記録信号が入力されるとともにその信号に対応させてレーザー駆動回路１０によるレーザーの照射動作を制御することによってデータ信号等を前記ディスク１に記録させる信号記録用回路である。前記レーザー駆動回路１０は、光学式ピックアップ２に組み込まれているレーザーダイオードより再生動作のための光ビーム及び記録動作を行うための光ビームを照射させるべく該レーザーダイオードに駆動電流を供給する作用を成すものであり、モニター用ダイオードより得られる信号に基づくサーボ動作を行うとともにシステム制御回路８によってレーザーの出力が制御されるように構成されている。
【００１４】
１１はディスク１に記録されるデータ信号が一旦記憶されるバッファ用ＲＡＭであり、前記コンピューター装置７より出力されるデータ信号が書き込まれるとともに前記システム制御回路８の制御動作によって信号の記憶動作及び読み出し動作が制御されるように構成されている。そして、前記バッファ用ＲＡＭ１１へ記憶された信号は、ディスク１に記録するべく読み出された後も記憶保持された状態にあり、その後コンピューター装置７より出力される新しいデータ信号がその位置に記憶されることによって順次上書き消去されるように構成されている。
【００１５】
１２は前記システム制御回路８によって動作が制御される電源保持回路であり、記録動作状態において、電源スイッチ（図示せず）の誤操作や停電等によって電源が遮断されたとき、システム制御回路８、バッファ用ＲＡＭ１１及び不揮発性メモリー１３に後述する動作を行うための動作電源を所定時間供給する作用を成すものである。
【００１６】
斯かる構成において、ディスク１への信号の記録動作時、バッファ用ＲＡＭ１１にはコンピューター装置７から出力されるデータ信号が記憶され、その記憶されている信号の読み出し動作を制御することによってディスク１への信号の記録動作が制御されるように構成されているが、斯かる記録動作はディスク１より得られる基準クロック信号に基づいて生成させる記録用クロック信号によって行われるように構成されている。従って、ディスク１の回転速度が種々な速度状態にあっても規定の記録フォーマットにて信号を記録することが出来るが、斯かる技術は周知であるためその説明は省略する。
【００１７】
また、ディスク１へのデータ信号の記録動作が中断された後、再度記録動作を再開させる場合には、前記バッファ用ＲＡＭ１１に記憶されている信号とディスク１に中断前に記録されている信号との比較動作を行い、中断前に記録されていた信号に連続して信号が記録されるように、即ちシームレスと呼ばれる方式にてデータ信号が記録されるように構成されている。
【００１８】
そして、ディスク１へのデータ信号の記録動作を行っているときに、電源が遮断されると、電源保持回路１２より出力されるバックアップ用の電源によってバッファ用ＲＡＭに記憶されているデータ信号及び記録動作が行われていた位置を示す位置情報データの不揮発性メモリー１３への記憶動作を行うための処理動作が行われるように構成されている。
【００１９】
以上の如く、本発明に係る光ディスク記録再生装置は構成されているが、次に斯様に構成された回路における再生動作について説明する。コンピューター装置７よりディスクドライブ装置を構成するシステム制御回路８に対して再生動作を行うための命令信号が出力されると、該システム制御回路８による再生動作のための制御動作が開始される。斯かる再生動作が行われる場合、光学式ピックアップ２に組み込まれているレーザーダイオードには、信号の読み出し動作を行うためのレーザー出力が得られる駆動電流がレーザー駆動回路１０より供給されるように設定されている。
【００２０】
斯かる再生動作のための制御動作が開始されると、スピンドルモーターの回転制御動作が行われるが、斯かるスピンドルモーターの回転制御動作は、ウォブル信号をデコードして得られる同期信号と基準信号生成回路（図示せず）より出力される基準信号とを比較することによりディスク１を線速度一定にて回転駆動するように行われる。斯かる制御動作は、後述する信号の記録動作時にも同様に行われる。
【００２１】
スピンドルモーターの回転制御動作は、以上の如く行われるが、信号の読み出し動作を行う光学式ピックアップ２では、フォーカシング制御動作及びトラッキング制御動作が開始されて該光学式ピックアップ２によるディスク１からの信号の読み出し動作が開始されることになるが、再生動作に先だってディスク１の最初のセッションを構成するリードイン領域に記録されているＴＯＣデータの読み出し動作が行われる。
【００２２】
ディスク１の最初のセッションの信号記録領域に記録されている信号の読み出し再生動作は、リードイン領域に記録されているＴＯＣデータに基づいて行われることになる。前記光学式ピックアップ２によって読み出された信号は、ＲＦ信号増幅回路３を通して増幅及び波形成形された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２３】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２４】
以上に説明したように本実施例における再生動作は行われるが、次にディスク１への信号の記録動作について説明する。
【００２５】
ディスク１に信号を記録する動作は、まずディスク１に設けられている試し書き領域にテスト信号を記録した後、その記録された信号を再生することにより記録動作に最適なレーザー出力が得られる駆動電流がレーザーダイオードに供給されるように設定される。斯かるレーザー出力の設定動作が行われると、ディスク１のバッファと呼ばれる領域に記録されている情報データ、即ち信号記録領域に記録されている信号の位置情報等を読み出す動作が行われる。
【００２６】
このようにして読み出された情報データに基づいてディスク１に設けられている信号記録領域にデータ信号の記録動作が可能であるか、また、記録動作を行う位置は何処か等の認識処理動作が行われる。
【００２７】
斯かる認識処理動作が終了すると、光学式ピックアップ２をディスク１上の記録動作を開始する位置まで移動させるとともにバッファ用ＲＡＭ１１へのデータ信号の書き込み動作が行われる。前記バッファ用ＲＡＭ１１への信号の書き込み動作が行われると、該バッファ用ＲＡＭ１１に記憶される信号の記憶量が次第に増加することになる。その記憶量が所定量を越えると、前記バッファ用ＲＡＭ１１に記憶されている信号を読み出し、その読み出された信号を前記信号記録用回路９に入力せしめる。その結果、前記信号記録用回路９によるレーザー駆動回路１０の制御動作が行われ、ディスク１に信号が記録されることになる。
【００２８】
斯かる動作によってディスク１への信号の記録動作は行われるが、前記バッファ用ＲＡＭ１１への信号の書き込み動作は、該バッファ用ＲＡＭ１１からの信号の読み出し動作に応じて行われるように構成されている。また、記録動作が正常に行われている状態では、ディスク１への信号の記録動作が行われる毎にその位置を示す位置情報データ、即ち最終アドレスをシステム制御回路８に設けられているメモリー回路に記憶する動作が行われている。
【００２９】
そして、コンピューター装置７より出力されるデータ信号が、該コンピューター装置７の演算処理動作の遅れ等によって出力されなくなると、前記バッファ用ＲＡＭ１１に記憶されているデータ信号の量が不足することになる。このような状況になると、システム制御回路８による制御動作によってディスク１への信号の記録動作が中断されるが、この場合には前記バッファ用ＲＡＭ１１からの信号の読み出し動作が中断されるとともバッファ用ＲＡＭ１１への信号の書き込み動作も中断させるように構成されている。斯かる状態において、コンピューター装置７から記録信号であるデータ信号が出力され、前記バッファ用ＲＡＭ１１に記憶されるデータ信号の量が増大し、その量が所定の量に達すると、記録動作を再開させるための制御動作が開始される。
【００３０】
斯かる動作は、まず光学式ピックアップ２を記録動作を開始させる位置、即ち記録動作を中断した位置より後退させた位置に変位させた後、その位置より再生動作を行うことより開始される。記録動作を中断させた位置は、正常記録動作が行われる毎にメモリー回路に記憶されている最終アドレスより容易に認知することが出来るとともにそのアドレスに基づいて光学式ピックアップ２を所望の位置に移動させることが出来る。
【００３１】
斯かる再生動作によって再生される信号は、記録動作を中断させる直前に記録されていた信号であり、斯かる信号と前記バッファ用ＲＡＭ１１に記憶されている信号との比較動作を行う。斯かる比較動作によって、両者が同一信号であると判定された場合には、前記バッファ用ＲＡＭ１１に記憶されているとともに前述した比較動作の対象となった信号に続けて記憶されている信号の読み出し動作が行われるとともにその信号が信号記録用回路９に入力されてディスク１への信号の記録動作が開始される。前述した動作によって信号のディスク１への記録中断動作及び記録再開動作を行うことが出来、斯かる動作を行うことによってディスク１には、記録動作を中断させたにも拘わらず信号を連続して記録する動作、所謂シームレス記録動作を行うことが出来る。
【００３２】
前述したようにバッファ用ＲＡＭ１１に記憶されるデータ信号の容量不足に伴う記録中断及び再開動作が行われるので、パーソナルコンピューター７より出力されるデータ信号の転送速度よりもディスク１への記録速度の方が早くても記録動作を支障なく行うことが出来るが、次に本発明の要旨、即ち記録動作を行っているときに電源の遮断動作が行われた場合について説明する。
【００３３】
光ディスク記録再生装置が、コンピューター装置７より出力されるデータ信号の記録動作を行っている状態にあるとき、停電等によって電源が遮断されると、システム制御回路８による制御動作によって電源保持回路１２より得られる電源による処理動作が開始される。斯かる処理動作は、バッファ用ＲＡＭに記憶されているデータ信号の読み出し動作及びその読み出されたデータ信号の不揮発性メモリー１３への書き込み動作、そして記録動作が行われていたとき、その記録位置を示す位置情報データである最終アドレスの不揮発性メモリー１３への書き込み動作である。斯かる動作が行われた後、電源保持回路１２からの電源供給動作が行われなくなるが、該電源保持回路１２より供給される電源の容量等は、前述した処理動作を行うことが出来る時間を考慮して設定されている。
【００３４】
記録動作時に電源の遮断動作が行われると、前述したようにディスク１に記録されているデータ信号、その信号に続いてバッファ用ＲＡＭに記憶されていたデータ信号及び記録位置を示す最終アドレスが不揮発性メモリー１３に書き込まれるので、電源の供給動作が再開されたとき、前記不揮発性メモリー１３に記憶されていたデータ信号を読み出して前記バッファ用ＲＡＭに書き込めば、該不揮発性メモリー１３に記憶されていた最終アドレスに基づいてディスク１への書き込み動作を再開させることが出来る。そして、コンピューター装置７から出力されるデータ信号の制御動作を該コンピューター装置７に組み込まれているプログラムソフトによって行うように構成することによってディスク１へのデータ信号の記録動作を停電等による電源遮断動作が起こらなかった場合と同様に行うことが可能となる。
【００３５】
【発明の効果】
本発明は、記録動作中断後においてディスクから読み出された信号とディスクに記録するデータ信号が一旦記憶されるバッファ用ＲＡＭに記憶されていたデータ信号とを比較し両者が同一信号であると判定された場合に記録動作を再開させて記録中断前にディスクに記録されている信号に連続して信号を記録するように構成された光ディスク記録再生装置において、記録動作中に電源が遮断されたとき、前記バッファ用ＲＡＭに記憶されていた信号及び記録動作が行われていた位置を示す位置情報データを不揮発性メモリーに記憶させ、かつ、電源復旧後前記不揮発性メモリーに記憶されているデータ信号を前記バッファ用ＲＡＭに書き込み、前記不揮発性メモリーに記憶されている位置情報データに基づいてディスクへの記録動作を再開させるようにしているので、電源遮断によりディスクへの記録動作が中断された際に電源復旧後に記録中断前にディスクに記録されている信号に連続して記録動作を支障なく行うことが出来る。
【００３６】
また、本発明は、電源復旧後不揮発性メモリーに記憶されているデータ信号を読み出すとともにその読み出されたデータ信号をバッファ用ＲＡＭに書き込むことによって記録再開動作を中断前の状態と同様の状態より開始させるようにしたので、制御動作を容易に行うことが出来る。
【図面の簡単な説明】
【図１】本発明に係る光ディスク記録再生装置の一実施例を示すブロック回路図である。
【符号の説明】
１        ディスク
２        光学式ピックアップ
４        ピックアップ制御回路
５        デジタル信号処理回路
７        コンピューター装置
８        システム制御回路
１０        レーザー駆動回路
１１        バッファ用ＲＡＭ
１２        電源保持回路
１３        不揮発性メモリー
【図１】
0003813409.tif 000002